(57)【要約】【課題】必要な冷却負荷が小さい時や冷却水の最低流量時の冷却水ポンプ動力を削減できる冷熱源システムを提供する。【解決手段】機器５４から往路配管３２を介して冷却水ポンプ５６により送水された冷却水を、直交流式の冷却塔５０で冷却して復路配管５６を介して機器５４に戻す冷熱源システム７０において、冷却塔５０は、冷却塔本体２０内の上下方向に多段配置され、機器５４から送水された冷却水を上部水槽６から充填材２６ａ（２６ｂ）が充填された散水槽に散水して冷却塔本体２０内に導入された外気と接触させて熱交換することにより冷却水を冷却すると共に冷却水が多段の最上段から最下段まで通水可能な複数の熱交換ユニット４８ａ、４８ｂと、複数の熱交換ユニット４８ａ、４８ｂに対して機器５４からの冷却水の送水先を切り換える切換手段と、冷却塔で冷却する冷却水の冷却負荷に応じて切換手段の切り換えを制御する制御手段５８と、を備える。【選択図】  図１
2007187383.tif 000002
【特許請求の範囲】
【請求項１】
機器から往路配管を介して冷却水ポンプにより送水された冷却水を、直交流式の冷却塔で冷却して復路配管を介して前記機器に戻す冷熱源システムにおいて、
前記冷却塔は、
該冷却塔本体内の上下方向に多段配置され、前記機器から送水された冷却水を上部水槽から充填材が充填された散水槽に散水して前記冷却塔本体内に導入された外気と接触させて熱交換することにより前記冷却水を冷却すると共に前記冷却水が前記多段の最上段から最下段まで通水可能な複数の熱交換ユニットと、
前記複数の熱交換ユニットに対して前記機器からの冷却水の送水先を切り換える切換手段と、
前記冷却塔で冷却する冷却水の冷却負荷に応じて前記切換手段の切り換えを制御する制御手段と、を備えたことを特徴とする冷熱源システム。
【請求項２】
前記機器は冷凍機であることを特徴とする請求項１の冷熱源システム。
【請求項３】
前記機器の定格下限以上では、前記機器から前記冷却塔に送水される冷却水の温度に応じて前記冷却水流量及び前記冷却塔内に外気を導入する送風機の回転数が可変する冷熱源システムであって、
前記制御手段は、前記冷却水流量及び／又は前記送風機の回転数に基づいて前記切換手段を切り換えることを特徴とする請求項１又は２の冷熱源システム。
【請求項４】
前記制御手段は、前記冷却水流量及び前記送風機の回転数が最低な前記機器の定格下限のときに、前記冷却水が前記最下段の熱交換ユニットに送水されるように前記切換手段を切り換え、前記冷却水流量及び前記送風機の回転数の増加に従って上段側の熱交換ユニットに切り換えることを特徴とする請求項３の冷熱源システム。
【請求項５】
前記機器の往路配管出口に送水する冷却水の温度を測定する温度計を設け、前記制御手段は、前記温度計と前記往路配管出口での設定温度との差に基づいて前記切換手段を切り換えることを特徴とする請求項１又は２の冷熱源システム。
【発明の詳細な説明】
【技術分野】
【０００１】
本発明は、冷熱源システムに係り、特に、機器から往路配管を介して冷却水ポンプにより送水された冷却水を、直交流式の冷却塔で冷却して復路配管を介して前記機器に戻す冷熱源システムに関する。
【背景技術】
【０００２】
従来から、空調設備、工業設備等における冷却水を冷却するために、直交流式冷却塔を備えた冷熱源システムが汎用されている（例えば特許文献１）。直交流式冷却塔１４は、図５に示すように、モータ２によって駆動される送風機３、充填材４などを組み込んで架台５上に設置した塔本体１の上部に、上部水槽６を配設して、例えば冷凍機から環流してきた冷却水を、冷却水入口管７を介して、この上部水槽６に導入するようにしている。そして、上部水槽６に導入された冷却水は、上部水槽６内に一体に配設した分流槽８及び上部水槽６の下方に配設した散水器９を経て、充填材が充填された散水槽４上に散水され、ルーバ１０を介して塔本体１内に導入された空気と熱交換して冷却される。熱交換して冷却された冷却水は、下部水槽１１を介して集水槽１２に集水され、冷却水出口管１３及びポンプ（不図示）を介して負荷へ送水される。このようにして、冷却塔と負荷間で冷却水を循環させることにより、負荷の冷却を行うようにしている。
【０００３】
また、特許文献２では、冷却水流量の変動を低減することで、吸収冷温水機の運転の安定性を確保しつつ、動力コストを低減することが提案されている。
【特許文献１】特開２０００−１４６４８４号公報
【特許文献２】特開２００４−３６９５７号公報
【発明の開示】
【発明が解決しようとする課題】
【０００４】
しかしながら、冷熱源システムの冷却水流量制御において、冷却水流量は冷凍機が許容可能な最小流量以下、即ち定格下限以下に減少させることができないため、冷凍機が必要とする冷却負荷が減少しても、最小流量で冷却水ポンプが運転される。このため、従来の冷却塔では、冷却水を流入するための実揚程が変化することがなく、冷却水ポンプの最低流量時の冷却水ポンプ動力は冷却負荷が減少しても削減することが困難であった。
【０００５】
本発明は、このような事情により鑑みてなされたもので、冷却塔で冷却する冷却水の冷却負荷に応じて冷却水ポンプの実揚程を可変することができるので、冷却水の最低流量時の冷却水ポンプ動力を削減できる冷熱源システムを提供することを目的とする。
【課題を解決するための手段】
【０００６】
請求項１に記載の発明は、前記目的を達成するために、機器から往路配管を介して冷却水ポンプにより送水された冷却水を、直交流式の冷却塔で冷却して復路配管を介して前記機器に戻す冷熱源システムにおいて、前記冷却塔は、該冷却塔本体内の上下方向に多段配置され、前記機器から送水された冷却水を上部水槽から充填材が充填された散水槽に散水して前記冷却塔本体内に導入された外気と接触させて熱交換することにより前記冷却水を冷却すると共に前記冷却水が前記多段の最上段から最下段まで通水可能な複数の熱交換ユニットと、前記複数の熱交換ユニットに対して前記機器からの冷却水の送水先を切り換える切換手段と、前記冷却塔で冷却する冷却水の冷却負荷に応じて前記切換手段の切り換えを制御する制御手段と、を備えたことを特徴とする。
【０００７】
請求項１によれば、冷熱源システムにおいて、直交流式の冷却塔は、冷却塔本体内の上下方向に多段配置され、機器から送水された冷却水を上部水槽から充填材が充填された散水槽に散水して冷却塔本体内に導入された外気と接触させて熱交換することにより冷却水を冷却すると共に冷却水が多段の最上段から最下段まで通水可能な複数の熱交換ユニットと、複数の熱交換ユニットに対して機器からの冷却水の送水先を切り換える切換手段と、冷却塔で冷却する冷却水の冷却負荷に応じて切換手段の切り換えを制御する制御手段と、を備えていることで、冷却塔で冷却する冷却水の冷却負荷に応じて冷却水ポンプの実揚程を可変することができ、例えば、冷却負荷が高い場合には、最上段の熱交換ユニットに冷却水を通水して冷却し、冷却負荷が低い場合には、最下段の熱交換ユニットに冷却水を通水することができるので、冷却水の最低流量時の冷却水ポンプ動力を削減できる。
【０００８】
請求項２に記載の発明は、請求項１の発明において、前記機器は冷凍機であることを特徴とする。
【０００９】
請求項２によれば、機器が冷凍機である場合に効果的に適応できる。
【００１０】
請求項３に記載の発明は、請求項１又は２の発明において、前記機器の定格下限以上では、前記機器から前記冷却塔に送水される冷却水の温度に応じて前記冷却水流量及び前記冷却塔内に外気を導入する送風機の回転数が可変する冷熱源システムであって、前記制御手段は、前記冷却水流量及び／又は前記送風機の回転数に基づいて前記切換手段を切り換えることを特徴とする。
【００１１】
請求項３によれば、送水される冷却水の温度に応じて、冷却水流量と送風機の回転数とが可変する冷熱源システムにあっては、冷却水流量及び／又は送風機の回転数に基づいて切換手段を切り換えることで、好適に冷却水ポンプ動力を削減することができる。
【００１２】
請求項４に記載の発明は、請求項３の発明において、前記制御手段は、前記冷却水流量及び前記送風機の回転数が最低な前記機器の定格下限のときに、前記冷却水が前記最下段の熱交換ユニットに送水されるように前記切換手段を切り換え、前記冷却水流量及び前記送風機の回転数の増加に従って上段側の熱交換ユニットに切り換えることを特徴とする。
【００１３】
請求項４によれば、冷却水流量及び送風機の回転数が最低な機器の定格下限のときに、冷却水が前記最下段の熱交換ユニットに送水されるように前記切換手段を切り換え、冷却水流量及び前記送風機の回転数の増加に従って上段側の熱交換ユニットに切り換えることで、最適に冷却水ポンプ動力を削減することができる。
【００１４】
請求項５に記載の発明は、請求項１又は２の発明において、前記機器の往路配管出口に送水する冷却水の温度を測定する温度計を設け、前記制御手段は、前記温度計と前記往路配管出口での設定温度との差に基づいて前記切換手段を切り換えることを特徴とする。
【００１５】
請求項５によれば、機器の往路配管出口に冷却水の温度を測定する温度計を設け、温度計が示す温度と設定温度との差に基づいて切換手段を切り換えることで、効果的に冷却水ポンプ動力を削減することができる。
【発明の効果】
【００１６】
以上説明したように、本発明の冷熱源システムによれば、冷却水の実揚程を削減することができるので、必要な冷却負荷が小さい時や最低流量時の冷却水ポンプの動力を削減することができる。
【発明を実施するための最良の形態】
【００１７】
以下、添付図面に従って本発明に係る冷熱源システムの好ましい実施の形態について詳説する。
【００１８】
図１に直交流式冷却塔を組み込んだ本発明に係る冷熱源システムの実施の形態の一例を示す。尚、ここでは冷却塔で冷却された冷却水を使用する機器として冷凍機の例で説明するが、他の熱交換器なども考えられる。
【００１９】
図１において、冷凍機５４の冷却水流量が冷却水ポンプ５６の回転数で制御される冷熱源システム７０に直交流式冷却塔５０が設置されている。冷凍機５４には、例えば空調機５５に接続されており、空調を行うことができるようになっている。
【００２０】
冷凍機５４の定格下限以上では、冷凍機５４から冷却塔に送水される冷却水の温度に応じて冷却水流量及び冷却塔内に外気を導入する送風機の回転数が可変する冷熱源システムでは、冷却水流量は、冷凍機の最低流量以上で制御され、低負荷時には最低流量が維持される。
【００２１】
また、冷熱源システム７０に温度計６２を設け、送風機２４は制御手段５８を用いて冷却塔の冷却水出口温度が設定温度になるようにインバータ６０により回転数を制御することができる。送風機回転数が下限値の時に、冷却水出口温度が設定値より低下する場合には、送風機２４はＯＮ−ＯＦＦ制御される。
【００２２】
図２に本発明の冷熱源システム７０に組み込んだ直交流式冷却塔５０の一例を示す。図１の直交流式冷却塔には、上部水槽３０、分流槽３４、散水機３６、及び散水槽２６からなる熱交換ユニット４８ａ、４８ｂが上下方向に２段設けられている。
【００２３】
また、モータ２２によって駆動される送風機２４、充填材を充填した散水槽２６などを組み込んだ２段の熱交換ユニット４８ａ、４８ｂが架台２８上に設置した塔本体２０の上部に設けられており、冷却水入口管３２の分岐配管３２ａを介して冷却水が、上段の熱交換ユニット４８ａに導入されるようになっている。導入された冷却水は、送風機２４によりルーバ３８を介して塔本体２０内に吸引された空気と熱交換して冷却される。そして、上段の熱交換ユニット４８ａで冷却された冷却水は、下段の熱交換ユニット４８ｂに導入され、更に送風機２４によりルーバ３８を介して吸引された空気と熱交換して冷却される。
【００２４】
そして、熱交換して冷却された冷却水は、下部水槽４０を介して集水槽４２に集水され、復路配管４４及び冷却水ポンプ（図１参照）を介して冷凍機へ送水される。このようにして、冷却塔と冷凍機間で冷却水を循環させることにより、負荷の冷却を行うようにしている。
【００２５】
更に、直交流式冷却塔５０は、切換手段として、冷却負荷から往路配管３２を介して環流してきた冷却水を、往路配管３２を分岐した分岐配管３２ｂによって下段の熱交換ユニット４８ｂにも流入できるようになっている。分岐配管３２ｂには、制御弁４６が設置されており、上下方向に設置された熱交換ユニット４８ａ、４８ｂに対して冷却水の送水先を切り換えることができるようになっている。
【００２６】
以上の制御が行われる冷熱源システム７０において、冷却水流量と送風機回転数を基に、直交流式冷却塔の制御弁４６が制御される。図３に本発明に係る直交流式冷却塔５０の制御弁４６を制御するフローチャートを示す。冷却水流量が最低流量かつ冷却塔送風機の回転数が最低値となる時に、分岐配管３２ｂを開とし、下段の熱交換ユニット４８ｂへ冷却水を通水し、往路配管３２の実揚程を低下させる。そして、冷却負荷が大きくなり冷却塔送風機の回転数が増加したときは、制御弁４６を閉とし、上段の熱交換ユニット４８ａへ冷却水を通水させる。
【００２７】
以上から分かるように、冷凍機の定格下限以上では、機器から冷却塔に送水される冷却水の温度に応じて冷却水流量及び冷却塔内に外気を導入する送風機の回転数が可変する冷熱源システムであって、冷却水流量及び送風機の回転数が最低な機器の定格下限のときに、冷却水が最下段の熱交換ユニットに送水されるように制御弁４６を切り換え、冷却水流量及び送風機の回転数の増加に従って上段側の熱交換ユニットに切り換えることによって、最低流量時に冷却水の実揚程を削減することができるので、冷却水ポンプ動力を削減することができる。また、冷凍機の往路配管出口に送水する冷却水の温度を測定する温度計６２を設け、温度計と往路配管出口での設定温度との差に基づいて切換手段を切り換えることでも、冷却水ポンプ動力を削減することができる。
【００２８】
以上、本発明に係る冷熱源システムの実施形態について説明したが、本発明は上記実施形態に限定されるものではなく、各種の態様が採り得る。
【００２９】
例えば、制御弁４６の切り換えは、上述の冷却水出口温度ではなく、外気の温度によって制御することも考えられる。
【００３０】
また、図４に示すように、上段の熱交換ユニット４８ａに接続された分岐配管３２ａにも制御弁４６’を設けることが考えられる。この場合、冷却水出口温度が低いときには、制御弁４６を開き、制御弁４６’を閉じる制御を行うことで、冷却水流量が一定のシステムにおいても冷却水の実揚程を削減することができる。
【００３１】
更に、本実施形態では、熱交換ユニットが２段の場合について説明したが、２段以上の場合においても、効果的に冷却水ポンプの動力を削減することができる。
【図面の簡単な説明】
【００３２】
【図１】本発明に係る冷熱源システムを示す概略図
【図２】本発明に適用される直交流式冷却塔を示す正面断面図
【図３】本発明に適用される直交流式冷却塔の制御弁の制御を示すフローチャート
【図４】本発明に適用される直交流式冷却塔の別の実施形態を示す正面断面図
【図５】従来の直交流式冷却塔を示す正面断面図
【符号の説明】
【００３３】
１…塔本体、２…モータ、３…送風機、４…充填材、５…架台、６…上部水槽、７…往路配管、８…分流槽、９…散水器、１０…ルーバ、１１…下部水槽、１２…集水槽、１３…冷却水出口管、１４…直交流式冷却塔、２０，２０’…塔本体、２２…モータ、２４…送風機、２６ａ，２６ｂ…充填材、２８…架台、３０…上部水槽、３２…往路配管、３２ａ…分岐配管、３２ｂ…分岐配管、３４…分流槽、３６…散水器、３８…ルーバ、４０…下部水槽、４２…集水槽、４４…復路配管、４６，４６’…制御弁、４８ａ…（上段の）熱交換ユニット、４８ｂ…（下段の）熱交換ユニット、５０，５０’…直交流式冷却塔、５４…冷凍機（機械）、５５…空調機、５６…冷却水ポンプ、５８…演算器（制御手段）、６０…インバータ、６２…温度計、７０…冷熱源システム
【図１】
2007187383.tif 000003
【図２】
2007187383.tif 000004
【図３】
2007187383.tif 000005
【図４】
2007187383.tif 000006
【図５】
2007187383.tif 000007